(57)【要約】【課題】省電力化を図れかつ、電力遮断制御を適切に実施できるプロジェクタを提供する。【解決手段】プロジェクタ１を構成する制御装置７は、電源装置３から光源装置４１に供給される電力を操作部２に設定入力された電力モード情報に基づく電力モードに応じた電力に変更させて電力モードを切り替えるモード切替手段７４１と、モード切替手段７４１による電力モードの切替時からの時間を計測するタイマ７５と、第１設定温度に関する第１設定温度情報を各電力モードに応じて複数記憶する第１設定温度情報記憶手段７７１と、タイマ７５の計測時間が所定の時間を経過した後、サーミスタ６にて検出された検出温度がモード切替手段７４１にて切り替えられた電力モードに応じた第１設定温度以上となった場合に、電源装置３から光源装置４１に供給される電力を遮断する電力遮断制御を実施する電力遮断手段７４２とを備える。【選択図】図１
2007101996.tif 000002
【特許請求の範囲】
【請求項１】
光源部と、前記光源部から射出された光束を画像情報に応じて変調して光学像を形成する光変調素子と、前記光学像を拡大投射する投射光学装置と、前記光源部に電力を供給する電源装置とを備えたプロジェクタであって、
前記光源部を駆動制御する制御装置と、当該プロジェクタ内部の温度を検出する温度検出部と、所定の電力で前記光源部を駆動させるための複数の電力モードのうちいずれかの電力モードに関する電力モード情報を設定入力させる設定入力部とを備え、
前記制御装置は、
前記電源装置から前記光源部に供給される電力を前記設定入力部に設定入力された電力モード情報に基づく電力モードに応じた電力に変更させて前記電力モードを切り替えるモード切替手段と、
前記モード切替手段による前記電力モードの切替時からの時間を計測する計測手段と、
所定の第１設定温度に関する第１設定温度情報を前記複数の電力モードに応じて複数記憶する第１設定温度情報記憶手段と、
前記計測手段にて計測された計測時間が所定の時間を経過した後、前記温度検出部にて検出された検出温度が前記モード切替手段にて切り替えられた前記電力モードに応じた前記第１設定温度以上の場合に、前記電源装置から前記光源部に供給される電力を遮断する電力遮断制御を実施する電力遮断手段とを備えていることを特徴とするプロジェクタ。
【請求項２】
請求項１に記載のプロジェクタにおいて、
前記制御装置は、
前記第１設定温度よりも低い温度である第２設定温度に関する第２設定温度情報を前記複数の電力モードに応じて複数記憶する第２設定温度情報記憶手段と、
前記温度検出部にて検出された検出温度が前記モード切替手段にて切り替えられた前記電力モードに応じた前記第２設定温度以上になった場合に、報知部を駆動制御して前記報知部に前記検出温度が前記第１設定温度に近い旨の情報を報知させる報知制御手段とを備え、
前記報知制御手段は、前記計測手段にて計測された計測時間が所定の時間以上となるまで、前記モード切替手段にて前記電力モードが切り替えられる前の電力モード時における前記報知部の駆動制御状態を継続することを特徴とするプロジェクタ。
【請求項３】
請求項１または請求項２に記載のプロジェクタにおいて、
当該プロジェクタ内部を冷却する冷却ファンを備え、
前記制御装置は、
前記第１設定温度よりも低い温度である初期移行温度に関する初期移行温度情報を記憶する初期移行温度情報記憶手段と、
所定の初期電圧値で前記冷却ファンを駆動させるための初期電圧値情報を前記複数の電力モードに応じて複数記憶する初期電圧値情報記憶手段と、
前記温度検出部にて検出された検出温度を順次認識し、認識した検出温度と所定の目標温度とを比較して偏差量を算出し、前記偏差量に基づいて従前に前記冷却ファンを駆動させていた電圧を変更して前記冷却ファンを駆動させるフィードバック制御を実施するファン制御手段とを備え、
前記ファン制御手段は、前記モード切替手段にて前記電力モードが切り替えられた際に前記温度検出部にて検出された検出温度が前記初期移行温度未満である場合には、前記検出温度が前記初期移行温度以上となるまで、前記モード切替手段にて切り替えられた前記電力モードに応じた前記初期電圧値で前記冷却ファンを駆動させることを特徴とするプロジェクタ。
【請求項４】
光源部と、前記光源部から射出された光束を画像情報に応じて変調して光学像を形成する光変調素子と、前記光学像を拡大投射する投射光学装置と、前記光源部に電力を供給する電源装置とを備えたプロジェクタの制御方法であって、
前記プロジェクタは、前記光源部を駆動制御する制御装置と、前記プロジェクタ内部の温度を検出する温度検出部と、所定の電力で前記光源部を駆動させるための複数の電力モードのうちいずれかの電力モードに関する電力モード情報を設定入力させる設定入力部とを備え、
前記制御装置が、
前記電源装置から前記光源部に供給される電力を前記設定入力部に設定入力された電力モード情報に基づく電力モードに応じた電力に変更させて前記電力モードを切り替えるモード切替ステップと、
前記モード切替ステップの実行時からの時間を計測する計測ステップと、
前記計測ステップにて計測した計測時間が所定の時間を経過した後、前記温度検出部にて検出された検出温度が前記モード切替ステップにて切り替えた前記電力モードに応じた第１設定温度以上の場合に、前記電源装置から前記光源部に供給される電力を遮断する電力遮断制御を実施する電力遮断ステップとを備えていることを特徴とするプロジェクタの制御方法。
【発明の詳細な説明】
【技術分野】
【０００１】
本発明は、プロジェクタおよびその制御方法に関する。
【背景技術】
【０００２】
従来、光源部（光源ランプ）と、光源ランプから射出された光束を画像情報に応じて変調して光学像を形成する光変調素子と、光学像を拡大投射する投射光学装置と、光源ランプに電力を供給する電源装置とを備えたプロジェクタが知られている。
このようなプロジェクタでは、光源ランプを駆動制御する制御装置により、光源ランプに所定電力を供給して光源ランプを駆動する通常電力モード、および、光源ランプに前記所定電力よりも低い電力を供給して光源ランプを駆動する低電力モードを切替可能とする構成が提案されている（例えば、特許文献１参照）。そして、制御装置による上記制御により、低電力モードに切り替えることで、光源ランプの消費電力を低減させ、省電力化を図っている。
【０００３】
【特許文献１】特開２００３−２９５３２０号公報
【発明の開示】
【発明が解決しようとする課題】
【０００４】
ところで、従来、光源ランプの駆動時における過熱による破損等を回避することを目的として、光源ランプ近傍の温度が所定の設定温度以上となった場合に、電源装置から光源ランプに供給される電力を遮断して光源ランプを消灯させる電力遮断制御（Shutdown制御）を実施する技術も提案されている。
このような電力遮断制御を実施する技術を特許文献１に記載のプロジェクタに採用した場合には、以下の問題が生じる。
先ず、前記設定温度として、通常電力モード時での設定温度（以下、通常電力設定温度と記載する）、および低電力モード時での設定温度（以下、低電力設定温度と記載する）で異なる温度、例えば、通常電力設定温度の方が低電力設定温度よりも高くなるようにした場合には、以下に示すような問題が生じる。
すなわち、通常電力モードで所定時間、光源ランプを駆動し、光源ランプ近傍の温度が通常電力設定温度よりも低くかつ、低電力設定温度よりも高くなっている状態で、通常電力モードから低電力モードに切り替えた場合には、光源ランプ近傍の温度が低電力設定温度よりも高くなっているため、電力モードを切り替えた直後に、電力遮断制御が実施される不具合が生じてしまう。
【０００５】
また、このような不具合を解消するためには、通常電力設定温度と低電力設定温度とを同一の温度に設定することが考えられる。しかしながら、例えば、通常電力設定温度に一致させるように低電力設定温度を設定した場合には、低電力設定温度が高い温度となり、低電力モードで光源ランプを駆動している際に、冷却空気を導入する導入口に取り付けられたエアフィルタに目詰まり等の不具合が生じた場合であっても光源ランプ近傍の温度が低電力設定温度に達せず電力遮断制御が実施されない恐れがある。また、例えば、低電力設定温度に一致させるように通常電力設定温度を設定した場合には、通常電力設定温度が低い温度となり、通常電力モード時において、光源ランプ近傍の温度が通常電力設定温度以上になりやすく、すなわち、電力遮断制御が不要に実施される不具合が生じてしまう。
したがって、省電力化を図れかつ、電力遮断制御を適切に実施できる技術が要望されている。
【０００６】
本発明の目的は、省電力化を図れかつ、電力遮断制御を適切に実施できるプロジェクタおよびその制御方法を提供することにある。
【課題を解決するための手段】
【０００７】
本発明のプロジェクタは、光源部と、前記光源部から射出された光束を画像情報に応じて変調して光学像を形成する光変調素子と、前記光学像を拡大投射する投射光学装置と、前記光源部に電力を供給する電源装置とを備えたプロジェクタであって、前記光源部を駆動制御する制御装置と、当該プロジェクタ内部の温度を検出する温度検出部と、所定の電力で前記光源部を駆動させるための複数の電力モードのうちいずれかの電力モードに関する電力モード情報を設定入力させる設定入力部とを備え、前記制御装置は、前記電源装置から前記光源部に供給される電力を前記設定入力部に設定入力された電力モード情報に基づく電力モードに応じた電力に変更させて前記電力モードを切り替えるモード切替手段と、前記モード切替手段による前記電力モードの切替時からの時間を計測する計測手段と、所定の第１設定温度に関する第１設定温度情報を前記複数の電力モードに応じて複数記憶する第１設定温度情報記憶手段と、前記計測手段にて計測された計測時間が所定の時間を経過した後、前記温度検出部にて検出された検出温度が前記モード切替手段にて切り替えられた前記電力モードに応じた前記第１設定温度以上の場合に、前記電源装置から前記光源部に供給される電力を遮断する電力遮断制御を実施する電力遮断手段とを備えていることを特徴とする。
【０００８】
ここで、電力モード情報の設定入力としては、電力モードを設定入力部に直接入力する構成、あるいは、記憶部に予め複数の電力モード情報を記憶しておき設定入力部にて前記複数の電力モード情報のうちいずれかを選択する構成等を採用できる。
また、複数の電力モードとしては、少なくとも２つ以上の電力モードであればよい。
本発明によれば、プロジェクタを構成する制御装置は、モード切替手段と、計測手段と、第１設定温度情報記憶手段と、電力遮断手段とを備えているので、以下に示すように、電力遮断制御を実施できる。
先ず、利用者による操作により設定入力部に電力モード情報が設定入力され、設定入力部から電力モード情報に応じた信号が制御装置に出力される。モード切替手段は、設定入力部から出力される信号を入力し、設定入力された電力モードを認識する。また、モード切替手段は、電源装置から光源部に供給される電力を、認識した電力モードに応じた電力に変更させて電力モードを切り替える。ここで、計測手段は、モード切替手段による電力モードの切替時からの時間を計測する。そして、電力遮断手段は、第１設定温度情報記憶手段からモード切替手段にて切り替えられた電力モードに応じた第１設定温度情報を読み出し、該第１設定温度情報に基づく第１設定温度と、温度検出部にて検出されたプロジェクタ内部（例えば、光源部近傍）の検出温度とを比較する。また、電力遮断手段は、計測手段にて計測された計測時間が所定の時間を経過した後、検出温度が第１設定温度以上の場合に、電源装置から光源部に供給される電力を遮断する電力遮断制御を実施する。
【０００９】
以上のような構成により、電力遮断制御を実施する際に用いる第１設定温度を各電力モードに応じて異なる温度に設定できる。例えば、通常電力設定温度よりも低電力設定温度が低くなるように設定すれば、低電力モードで光源部を駆動している際に冷却空気を導入する導入口に取り付けられたエアフィルタに目詰まり等の不具合が生じた場合にはプロジェクタ内部の温度が低電力設定温度を超えるように設定でき、確実に電力遮断制御を実施できる。また、通常電力モード時において、プロジェクタ内部の温度が不要に通常電力設定温度以上となることがなく、適切に電力遮断制御を実施できる。
また、電力遮断手段は、モード切替手段にて電力モードが切り替えられてから所定時間経過した後、検出温度が第１設定温度以上の場合に、電力遮断制御を実施するので、前記所定時間の間に、光源部近傍の温度、すなわちプロジェクタ内部の温度を低減させることができ、例えば、プロジェクタ内部の温度が通常電力設定温度よりも低くかつ、低電力設定温度よりも高くなっている状態で、通常電力モードから低電力モードに切り替えた場合でも、前記所定時間の間に、プロジェクタ内部の温度を低電力設定温度よりも低くすることができ、電力モードを切り替えた直後に、電力遮断制御が実施される不具合が生じることもない。
したがって、電力モードを切り替えることで省電力化を図れかつ、電力遮断制御を適切に実施でき、本発明の目的を達成できる。
【００１０】
本発明のプロジェクタでは、前記制御装置は、前記第１設定温度よりも低い温度である第２設定温度に関する第２設定温度情報を前記複数の電力モードに応じて複数記憶する第２設定温度情報記憶手段と、前記温度検出部にて検出された検出温度が前記モード切替手段にて切り替えられた前記電力モードに応じた前記第２設定温度以上になった場合に、報知部を駆動制御して前記報知部に前記検出温度が前記第１設定温度に近い旨の情報を報知させる報知制御手段とを備え、前記報知制御手段は、前記計測手段にて計測された計測時間が所定の時間以上となるまで、前記モード切替手段にて前記電力モードが切り替えられる前の電力モード時における前記報知部の駆動制御状態を継続することが好ましい。
本発明によれば、制御装置が第２設定温度情報記憶手段と、報知制御手段とを備えているので、報知部にて「プロジェクタ内部の温度が第１設定温度に近い」旨、すなわち、電力遮断制御が実行される旨等の情報を利用者に予め認識させることができる。
ところで、検出温度が第２設定温度以上になると直ぐに切り替えられた電力モード時における報知部の駆動制御を実施した場合には、電力モードを切り替えた直後に、報知部の駆動状態が変更される場合がある。
本発明では、報知制御手段は、モード切替手段にて電力モードが切り替えられてから所定時間の間は、切り替えられる前の電力モード時における報知部の駆動制御状態を継続するので、電力モードが切り替えられた直後に、報知部の駆動状態が変更されることがない。このため、上述した電力遮断手段による電力遮断制御と略同様に、報知部の駆動制御を実施でき、利用者に報知部の駆動状態を適切に認識させることができる。
【００１１】
本発明のプロジェクタでは、当該プロジェクタ内部を冷却する冷却ファンを備え、前記制御装置は、前記第１設定温度よりも低い温度である初期移行温度に関する初期移行温度情報を記憶する初期移行温度情報記憶手段と、所定の初期電圧値で前記冷却ファンを駆動させるための初期電圧値情報を前記複数の電力モードに応じて複数記憶する初期電圧値情報記憶手段と、前記温度検出部にて検出された検出温度を順次認識し、認識した検出温度と所定の目標温度とを比較して偏差量を算出し、前記偏差量に基づいて従前に前記冷却ファンを駆動させていた電圧を変更して前記冷却ファンを駆動させるフィードバック制御を実施するファン制御手段とを備え、前記ファン制御手段は、前記モード切替手段にて前記電力モードが切り替えられた際に前記温度検出部にて検出された検出温度が前記初期移行温度未満である場合には、前記検出温度が前記初期移行温度以上となるまで、前記モード切替手段にて切り替えられた前記電力モードに応じた前記初期電圧値で前記冷却ファンを駆動させることが好ましい。
ここで、初期電圧値情報としては、例えば、比較的に高い電力で光源部を駆動させる電力モード（通常電力モード）に対応した初期電圧値情報に基づく初期電圧値を高く、比較的に低い電力で光源部を駆動させる電力モード（低電力モード）に対応した初期電圧値情報に基づく初期電圧値を低くする設定を採用できる。
また、初期移行温度としては、比較的に低い温度、例えば、常温程度の温度を採用できる。
【００１２】
ところで、例えば、通常電力モードと、低電力モードとを比較した場合には、通常電力モード時の方が低電力モード時に比べて光源部近傍の温度上昇率、すなわちプロジェクタ内部の温度上昇率は大きくなる。このため、上述したフィードバック制御時において、プロジェクタ内部の温度が同一の場合であっても、通常電力モード時での冷却ファンを駆動する駆動電圧の方が低電力モード時での冷却ファンを駆動する駆動電圧よりも大きくする必要がある。すなわち、上述したフィードバック制御時において、プロジェクタ内部の温度が同一の場合であっても、通常電力モード時での冷却ファンの回転数の方が低電力モード時での冷却ファンの回転数よりも大きくする必要がある。
【００１３】
そして、例えば、プロジェクタ内部の温度が常温程度の比較的に低い温度である場合でも上述したフィードバック制御を実施する構成とした場合には、以下に示すように、冷却ファン自体の音を余計に大きくしてしまう。
例えば、通常電力モードから低電力モードに切り替えた場合には、切り替えられた低電力モード時では比較的に小さい回転数で冷却ファンを駆動すればよいはずであるが、切り替えられる前の通常電力モード時では比較的に大きい回転数で冷却ファンを駆動させているため、低電力モードに切り替えられた時点でも比較的に大きい回転数で冷却ファンを駆動させてしまう。このため、電力モードの切替時において、比較的に大きい回転数で冷却ファンを駆動させることで、冷却ファン自体からの音を余計に大きくしてしまう。
また、例えば、低電力モードから通常電力モードに切り替えた場合には、切り替えられた通常電力モード時では比較的に大きい回転数で冷却ファンを駆動する必要があるが、切り替えられる前の低電力モード時では比較的に小さい回転数で冷却ファンを駆動させているため、通常電力モードに切り替えられた時点でも比較的に小さい回転数で冷却ファンを駆動させてしまう。このため、通常電力モードに切り替えられた後、フィードバック制御を実施する際、冷却ファンの回転数の増加率が大きくなり、冷却ファン自体からの音を余計に大きくしてしまう。
【００１４】
本発明では、ファン制御手段は、モード切替手段にて電力モードが切替えられた際に検出温度が初期移行温度未満である場合には、検出温度が初期移行温度以上となるまで、前記切り替えられた電力モードに対応した初期電圧値情報に基づく初期電圧値で冷却ファンを駆動させる。このことにより、プロジェクタ内部の温度が常温程度の比較的に低い温度の状態で、通常電力モードから低電力モードに切り替えた場合であっても、冷却ファンを駆動する駆動電圧が低電力モードに対応した初期電圧値に変更されるので、電力モードの切替時において、冷却ファン自体からの音を余計に大きくすることがなく、プロジェクタの静粛性を確保できる。また、低電力モードから通常電力モードに切り替えた場合も同様に、冷却ファンを駆動する駆動電圧が通常電力モードに対応した初期電圧値に変更されるので、通常電力モードに切り替えられた後、検出温度が初期移行温度以上となってフィードバック制御を実施する際、冷却ファンの回転数の増加率が大きくなることがなく、すなわち、冷却ファン自体からの音を余計に大きくすることがなく、プロジェクタの静粛性を確保できる。
【００１５】
本発明のプロジェクタの制御方法は、光源部と、前記光源部から射出された光束を画像情報に応じて変調して光学像を形成する光変調素子と、前記光学像を拡大投射する投射光学装置と、前記光源部に電力を供給する電源装置とを備えたプロジェクタの制御方法であって、前記プロジェクタは、前記光源部を駆動制御する制御装置と、前記プロジェクタ内部の温度を検出する温度検出部と、所定の電力で前記光源部を駆動させるための複数の電力モードのうちいずれかの電力モードに関する電力モード情報を設定入力させる設定入力部とを備え、前記制御装置が、前記電源装置から前記光源部に供給される電力を前記設定入力部に設定入力された電力モード情報に基づく電力モードに応じた電力に変更させて前記電力モードを切り替えるモード切替ステップと、前記モード切替ステップの実行時からの時間を計測する計測ステップと、前記計測ステップにて計測した計測時間が所定の時間を経過した後、前記温度検出部にて検出された検出温度が前記モード切替ステップにて切り替えた前記電力モードに応じた第１設定温度以上の場合に、前記電源装置から前記光源部に供給される電力を遮断する電力遮断制御を実施する電力遮断ステップとを備えていることを特徴とする。
本発明によれば、プロジェクタの制御方法は、モード切替ステップと、計測ステップと、電力遮断ステップとを備えているので、上述したプロジェクタと同様の作用・効果を享受できる。
【発明を実施するための最良の形態】
【００１６】
以下、本発明の実施の一形態を図面に基づいて説明する。
〔プロジェクタの構成〕
図１は、プロジェクタ１の概略構成を示すブロック図である。
プロジェクタ１は、光源から射出される光束を画像情報に応じて変調して光学像を形成し、形成した光学像をスクリーンＳｃ（図１）上に拡大投射するものである。このプロジェクタ１は、図１に示すように、設定入力部としての操作部２と、電源装置３と、画像形成部４と、ファン装置５と、サーミスタ６と、制御装置７とで大略構成されている。
【００１７】
操作部２は、図示しないリモートコントローラや、プロジェクタ１に備えられたボタンやキーにより構成され、利用者による操作を認識して所定の操作信号を制御装置７に出力する。この操作部２は、図１に示すように、モード切替入力部２１等を備える。なお、図１では、操作部２におけるプロジェクタ１のＯＮ／ＯＦＦを実施する入力部、音量調整を実施する入力部、投影画像の画質調整を実施する入力部等の他の入力部については、図示を省略している。
モード切替入力部２１は、画像形成部４の後述する光源ランプに所定電力（通常電力）を供給して駆動させる通常電力モード、および前記光源装置に前記所定電力よりも低い電力（低電力）を供給して駆動させる低電力モードのうちいずれかの電力モードに関する電力モード情報を設定入力させるための入力ボタンである。本実施形態では、モード切替入力部２１は、各電力モードに対応した各入力ボタン（本実施形態では通常電力モードおよび低電力モードに対応して２つ）で構成され、利用者による各入力ボタンのうちいずれかの入力ボタンの押下を認識し入力された電力モードに応じた操作信号を制御装置７に出力する。
【００１８】
電源装置３は、外部から供給された電力をプロジェクタ１の各部に供給する。この電源装置３は、図示は省略するが、外部から供給された電力をプロジェクタ１の各部に供給する主電源と、利用者による操作部２の操作により主電源がＯＦＦした状態（スタンバイ状態）において、外部から供給された電力をプロジェクタ１の制御装置７等にのみ供給するサブ電源とで構成されている。
【００１９】
画像形成部４は、制御装置７による制御の下、光学像を形成してスクリーンＳｃに拡大投射する。この画像形成部４は、図１に示すように、光源装置４１と、光変調素子としての液晶ライトバルブ４２と、投射光学装置４３等を備える。
光源装置４１は、制御装置７による制御の下、光束を液晶ライトバルブ４２に向けて射出する。この光源装置４１は、光源部としての光源ランプ４１１と、ランプ駆動部４１２とを備える。
光源ランプ４１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオードや有機ＥＬ(Electro Luminescence)素子、シリコン発光素子等の各種自己発光素子を採用してもよい。
ランプ駆動部４１２は、制御装置７による制御の下、電源装置３から供給された電力を変更して、各電力モードに対応した通常電力、あるいは、低電力で光源ランプ４１１を駆動する。
【００２０】
液晶ライトバルブ４２は、透過型の液晶パネルであり、制御装置７からの駆動信号に基づいて、液晶セル（図示略）に封入された液晶分子の配列を変化させ、光源ランプ４１１から射出された光束を、透過若しくは遮断することにより画像情報に応じた光学像を投射光学装置４３に射出する。
投射光学装置４３は、液晶ライトバルブ４２から射出された光学像をスクリーンＳｃに向けて拡大投射する。
なお、図示は省略したが、プロジェクタ１は、ＲＧＢの３色に対応する３枚の液晶ライトバルブ４２を備えている。また、光源装置４１は、光源光を３色の光に分離する色光分離光学系を備えている。さらに、投射光学装置４３は、３色の画像光を合成してカラー画像を表す光学像を生成する合成光学系を有している。なお、このような光学系の構成については、種々の一般的なプロジェクタの光学系の構成が利用可能である。
【００２１】
ファン装置５は、制御装置７による制御の下、光源ランプ４１１に冷却空気を送風、あるいは、光源ランプ４１１近傍の空気を吸入して、光源ランプ４１１を冷却する。このファン装置５は、図１に示すように、光源ランプ４１１に冷却空気を送風、あるいは、光源ランプ４１１近傍の空気を吸入する冷却ファン５１と、制御装置７による制御の下、所定の駆動電圧で冷却ファン５１を駆動させるファンドライバ５２とを備える。
サーミスタ６は、冷却対象である光源ランプ４１１近傍に配設され、光源ランプ４１１近傍の温度を検出する。そして、サーミスタ６は、検出した検出温度に応じた信号を制御装置７に出力する。
【００２２】
制御装置７は、電源装置３、画像形成部４、ファンドライバ５２、およびサーミスタ６等を制御する。この制御装置７は、図１に示すように、信号入力部７１と、液晶パネル駆動制御部７２と、フレームメモリ７３と、ランプ駆動制御部７４と、計測手段としてのタイマ７５と、ファン制御手段としてのファン駆動制御部７６と、記憶部７７とを備える。
信号入力部７１は、各種外部機器から出力される画像信号等を入力し、液晶パネル駆動制御部７２にて処理可能な画像信号に変換して出力する。そして、信号入力部７１から出力された画像信号（デジタル画像信号）は、フレームメモリ７３に一時的に記録される。
【００２３】
液晶パネル駆動制御部７２は、信号入力部７１から出力されフレームメモリ７３に順次記憶されるデジタル画像信号を適宜読み出して、読み出したデジタル画像信号に対して所定の処理を施し、処理を施した画像に対応する画像情報としての駆動信号を液晶ライトバルブ４２に出力して所定の光学像を形成させる。この液晶パネル駆動制御部７２における前記所定の処理としては、例えば、拡大・縮小等の画像サイズ調整処理、台形歪補正処理、画質調整処理、ガンマ補正処理等がある。これらの各処理は、周知の技術であるので詳細な説明は省略する。
【００２４】
ランプ駆動制御部７４は、所定のプログラムにしたがって、光源ランプ４１１を駆動させる旨の制御指令をランプ駆動部４１２に出力し、ランプ駆動部４１２に通常電力あるいは低電力で光源ランプ４１１を駆動させる。このランプ駆動制御部７４は、図１に示すように、モード切替手段７４１と、電力遮断手段７４２と、報知制御手段７４３とを備える。
モード切替手段７４１は、操作部２から出力される操作信号を入力し、該操作信号に基づいて、通常電力モードおよび低電力モードを切り替える。すなわち、モード切替手段７４１は、利用者により操作部２に通常電力モードから低電力モードに切り替える旨の設定入力が実施された場合には、低電力モードに応じた低電力で光源ランプ４１１を駆動ささせる旨の制御指令をランプ駆動部４１２に出力し、ランプ駆動部４１２に低電力モードに応じた低電力で光源ランプ４１１を駆動させる。同様に、モード切替手段７４１は、利用者により操作部２に低電力モードから通常電力モードに切り替える旨の設定入力が実施された場合には、通常電力モードに応じた通常電力で光源ランプ４１１を駆動させる旨の制御指令をランプ駆動部４１２に出力し、ランプ駆動部４１２に通常電力モードに応じた通常電力で光源ランプ４１１を駆動させる。
【００２５】
電力遮断手段７４２は、サーミスタ６から出力される信号に基づく光源ランプ４１１近傍の検出温度と、記憶部７７に記憶されモード切替手段７４１により切り替えられたモード（以下、選択電力モードと記載する）に対応した第１設定温度情報に基づく第１設定温度とを比較する。また、電力遮断手段７４２は、タイマ７５から出力される信号に基づくモード切替手段７４１による電力モード切替時からの計測時間と、記憶部７７に記憶された設定時間情報に基づく設定時間とを比較する。そして、電力遮断手段７４２は、計測時間が設定時間を経過した後、検出温度が選択電力モードに対応した第１設定温度以上の場合に、電源装置３から光源ランプ４１１に供給される電力を遮断する電力遮断制御を実行する。また、電力遮断手段７４２は、電力遮断制御を実行した後、所定の制御指令をファン駆動制御部７６に出力し、冷却ファン５１により光源ランプ４１１の強制空冷を所定時間、実施させる。
すなわち、電力遮断手段７４２は、電力遮断制御を実行することで、光源ランプ４１１を強制的に消灯して光源ランプ４１１の強制空冷を実施し、光源ランプ４１１の過熱による破損を回避する。
【００２６】
報知制御手段７４３は、サーミスタ６から出力される信号に基づく光源ランプ４１１近傍の検出温度と、記憶部７７に記憶された選択電力モードに対応した第２設定温度情報に基づく第２設定温度とを比較する。そして、報知制御手段７４３は、検出温度が選択電力モードに対応した第２設定温度以上になった場合に、報知部７４３Ａを駆動制御し、報知部７４３Ａに「光源ランプ４１１近傍の温度が第１設定温度に近い」旨の情報を報知させる報知駆動制御を実施する。そして、利用者は、報知部７４３Ａの駆動状態を確認し、電力遮断制御が実行される旨を認識する。
ここで、報知部７４３Ａは、所定の色で発光するＬＥＤで構成され、報知制御手段７４３による制御の下、検出温度が選択電力モードに対応した第２設定温度以上になった場合に点灯し、検出温度が選択電力モードに対応した第２設定温度以下である場合に消灯する。
なお、報知部としては、上述したＬＥＤ等の発光素子に限らず、画像形成部４で構成し、検出温度が選択電力モードに対応した第２設定温度以上になった場合に、「光源ランプ近傍の温度が第１設定温度に近い」旨の情報（メッセージ）をスクリーンＳｃ上に生成する構成や、「光源ランプ近傍の温度が第１設定温度に近い」旨の情報を音声にて報知する音声出力部として構成してもよい。
【００２７】
また、報知制御手段７４３は、タイマ７５から出力される信号に基づくモード切替手段７４１によるモード切替時からの計測時間と、記憶部７７に記憶された設定時間情報に基づく設定時間とを比較し、計測時間が設定時間以上となるまで、モード切替手段７４１により電力モードが切り替えられる前の電力モード（以下、従前電力モードと記載する）時での報知駆動制御を継続する。すなわち、報知制御手段７４３は、計測時間が設定時間以上になった後に、選択電力モード時での報知駆動制御を実行する。
【００２８】
タイマ７５は、モード切替手段７４１による電力モードの切り替えをトリガとして、該切り替え時からの時間を計測し、計測した計測時間に応じた信号をランプ駆動制御部７４に出力する。
【００２９】
ファン駆動制御部７６は、所定のプログラムにしたがって、ファン装置５を駆動制御する。具体的に、ファン駆動制御部７６は、サーミスタ６にて検出された検出温度を順次認識し、認識した検出温度と、所定の目標温度との偏差量を算出し、該偏差量に基づいて冷却ファン５１に印加する電圧値を変更して光源ランプ４１１近傍の温度が前記目標温度になるようにフィードバック制御を実施する。なお、このフィードバック制御としては、検出温度と目標温度との偏差量に基づいて冷却ファン５１に印加する電圧値を変更するフィードバック制御であればよく、比例制御、ＰＩ(Proportional Integral)制御、PID(Proportional Integral Differential)制御等のいずれを採用してもよい。
【００３０】
また、ファン駆動制御部７６は、モード切替手段７４１による電力モード切替時において、該電力モード切替時の検出温度と、記憶部７７に記憶された選択電力モードに対応した初期移行温度情報に基づく初期移行温度とを比較する。そして、ファン駆動制御部７６は、検出温度が前記初期移行温度未満である場合には、検出温度が前記初期移行温度以上となるまで、記憶部７７に記憶された選択電力モードに対応した初期電圧値情報に基づく初期電圧値で冷却ファン５１を駆動させる。その後、ファン駆動制御部７６は、検出温度が前記初期移行温度以上となった場合に、上述したフィードバック制御を実施する。
【００３１】
記憶部７７は、ランプ駆動制御部７４における電力遮断制御および報知駆動制御や、ファン駆動制御部７６におけるフィードバック制御等に必要な情報を記憶する。この記憶部７７は、図１に示すように、第１設定温度情報記憶手段７７１と、第２設定温度情報記憶手段７７２と、初期移行温度情報記憶手段７７３と、時間情報記憶手段７７４と、初期電圧値情報記憶手段７７５と、目標温度情報記憶手段７７６とを備える。
第１設定温度情報記憶手段７７１は、電力遮断手段７４２が電力遮断制御を実施する際の第１設定温度に関する第１設定温度情報を、各電力モードに応じて複数（本実施形態では通常電力モードおよび低電力モードに応じて２つ）記憶する。例えば、第１設定温度情報記憶手段７７１は、複数の第１設定温度情報を各電力モードに対応させたテーブル構造を有する情報を記憶する。
ここで、２つの第１設定温度は、通常電力モードに対応する第１設定温度が低電力モードに対応する第１設定温度よりも高く設定されている。
【００３２】
第２設定温度情報記憶手段７７１は、報知制御手段７４３が報知駆動制御を実施する際の第２設定温度に関する第２設定温度情報を、各電力モードに応じて複数（本実施形態では通常電力モードおよび低電力モードに応じて２つ）記憶する。例えば、第２設定温度情報記憶手段７７２は、複数の第２設定温度情報を各電力モードに対応させたテーブル構造を有する情報を記憶する。
ここで、２つの第２設定温度は、２つの第１設定温度よりもそれぞれ低く設定されるとともに、第１設定温度と同様に、通常電力モードに対応する第２設定温度が低電力モードに対応する第２設定温度よりも高く設定されている。
【００３３】
初期移行温度情報記憶手段７７３は、ファン駆動制御部７６が冷却ファン５１を駆動制御する際の初期移行温度に関する初期移行温度情報を、各電力モードに応じて複数（本実施形態では通常電力モードおよび低電力モードに応じて２つ）記憶する。例えば、初期移行温度情報記憶手段７７３は、複数の初期移行温度情報を各電力モードに対応させたテーブル構造を有する情報を記憶する。
ここで、２つの初期移行温度は、２つの第２設定温度よりもそれぞれ低く設定される（２つの第１設定温度よりもそれぞれ低く設定され）とともに、通常電力モードに対応する初期移行温度が低電力モードに対応する初期移行温度よりも高く設定されている。これら初期移行温度は、例えば、常温程度の温度に設定されている。
時間情報記憶手段７７４は、電力遮断手段７４２が電力遮断制御を実施する際、および報知制御手段７４３が報知駆動制御を実施する際の設定時間に関する設定時間情報を記憶する。
【００３４】
初期電圧値情報記憶手段７７５は、ファン駆動制御部７６がフィードバック制御を実施する際の初期電圧値に関する初期電圧値情報を、各電力モードに応じて複数（本実施形態では通常電力モードおよび低電力モードに応じて２つ）記憶する。例えば、初期電圧値情報記憶手段７７５は、複数の初期電圧値情報を各電力モードに対応させたテーブル構造を有する情報を記憶する。
ここで、２つの初期電圧値は、通常電力モードに対応する初期電圧値が低電力モードに対応する初期電圧値よりも高く設定されている。
【００３５】
目標温度情報記憶手段７７６は、ファン駆動制御部７６がフィードバック制御を実施する際の目標温度に関する目標温度情報を、各電力モードに応じて複数（本実施形態では通常電力モードおよび低電力モードに応じて２つ）記憶する。例えば、目標温度情報記憶手段７７６は、複数の目標温度情報を各電力モードに対応させたテーブル構造を有する情報を記憶する。
ここで、２つの目標温度は、通常電力モードに対応する目標温度が低電力モードに対応する目標温度よりも高く設定されている。
【００３６】
〔プロジェクタの制御方法〕
次に、上述した制御装置７によるプロジェクタ１の制御方法を図面に基づいて説明する。なお、以下の制御方法では、主に、光源装置４１およびファン装置５の制御方法を説明し、他の制御方法については、説明を省略する。
図２は、プロジェクタ１の制御方法を説明するフローチャートである。
先ず、利用者によりモード切替入力部２１に通常電力モードから低電力モードに切り替える旨、あるいは、低電力モードから通常電力モードに切り替える旨の設定入力が実施されることで、モード切替入力部２１から選択電力モードに応じた操作信号が出力され、モード切替手段７４１に入力される。モード切替手段７４１は、入力した操作信号に応じた電力モードを認識した後、所定の制御指令をランプ駆動部４１２に出力してランプ駆動部４１２に選択電力モードに応じた電力で光源ランプ４１１を駆動させる（ステップＳ１：モード切替ステップ）。
【００３７】
ステップＳ１の後、タイマ７５は、ステップＳ１の実行時からの時間を計測し、計測した計測時間に応じた信号を電力遮断手段７４２および報知制御手段７４３に出力する（ステップＳ２：計測ステップ）。
ステップＳ２の後、制御装置７は、サーミスタ６にて検出された検出温度と、初期移行温度情報記憶手段７７３に記憶された初期移行温度情報のうち選択電力モードに対応した初期移行温度情報に基づく初期移行温度とを比較して、検出温度が前記初期移行温度よりも高いか否か（検出温度が初期移行温度以上であるか否か）を判定する（ステップＳ３）。
【００３８】
ステップＳ３において、制御装置７は、「Ｎ」と判定した場合、すなわち、光源ランプ４１１近傍の温度が選択電力モードに対応した初期移行温度未満であると判定した場合には、ファン駆動制御部７６は、初期電圧値情報記憶手段７７５に記憶された初期電圧値情報のうち選択電力モードに対応した初期電圧値情報を読み出し、冷却ファン５１を駆動するための駆動電圧を前記初期電圧値情報に基づく初期電圧値に変更して、光源ランプ４１１近傍の温度が選択電力モードに対応した初期移行温度以上となるまで前記初期電圧値で冷却ファン５１を駆動させる（ステップＳ４）。
【００３９】
一方、ステップＳ３において、制御装置７は、「Ｙ」と判定した場合、すなわち、光源ランプ４１１近傍の温度が選択電力モードに対応した初期移行温度以上であると判定した場合には、ファン駆動制御部７６は、従前電力モード時や、ステップＳ４時において、冷却ファン５１を駆動させていた駆動電圧を変更せずに、該駆動電圧で冷却ファン５１を駆動させた後、目標温度情報記憶手段７７６に記憶された目標温度情報のうち選択電力モードに対応した目標温度情報、および検出温度に基づいて、フィードバック制御を実施する（ステップＳ５）。
【００４０】
ステップＳ５の後、制御装置７は、検出温度と、第２設定温度情報記憶手段７７２に記憶された第２設定温度情報のうち選択電力モードに対応した第２設定温度情報に基づく第２設定温度とを比較して、検出温度が前記第２設定温度よりも高いか否か（検出温度が第２設定温度以上であるか否か）を判定する（ステップＳ６）。
ステップＳ６において、制御装置７は、「Ｎ」と判定した場合、すなわち、光源ランプ４１１近傍の温度が選択電力モードに対応した第２設定温度未満であると判定した場合には、再度、上述したステップＳ３〜Ｓ５の処理を繰り返し実施する。
【００４１】
一方、ステップＳ６において、制御装置７は、「Ｙ」と判定した場合、すなわち、光源ランプ４１１近傍の温度が選択電力モードに対応した第２設定温度以上であると判定した場合には、タイマ７５にて計測された計測時間と、時間情報記憶手段７７４に記憶された設定時間情報に基づく設定時間とを比較して、計測時間が設定時間以上となったか否かを判定する（ステップＳ７）。
ステップＳ７において、制御装置７は、「Ｎ」と判定した場合、すなわち、電力モード切替時からの時間が設定時間まで経過していないと判定した場合には、報知制御手段７４３は、電力モード切替時からの時間が設定時間まで経過するまで、従前電力モード時での報知駆動制御を継続する（ステップＳ８）。例えば、従前電力モード時での報知駆動制御において報知部７４３Ａを点灯させている状態であればステップＳ８において報知部７４３Ａを点灯させる報知駆動制御を継続し、逆に、従前電力モード時での報知駆動制御において報知部７４３Ａを消灯させている状態であればステップＳ８において報知部７４３Ａを消灯させる報知駆動制御を継続する。なお、図示は省略したが、ステップＳ１〜ステップＳ７の間においては、報知制御手段７４３により従前電力モード時での報知駆動制御が実行されている。
【００４２】
そして、ステップＳ７において、制御装置７は、「Ｙ」と判定した場合、すなわち、電力モード切替時からの時間が設定時間まで経過したと判定した場合には、制御装置７は、再度、上述したステップＳ６と同様に、検出温度と、第２設定温度情報記憶手段７７２に記憶された第２設定温度情報のうち選択電力モードに対応した第２設定温度情報に基づく第２設定温度とを比較して、検出温度が前記第２設定温度よりも高いか否か（検出温度が第２設定温度以上であるか否か）を判定する（ステップＳ９）。ここで、ステップＳ９において、制御装置７は、「Ｎ」と判定した場合、すなわち、光源ランプ４１１近傍の温度が選択電力モードに対応した第２設定温度未満であると判定した場合には、再度、上述したステップＳ３〜Ｓ７の処理を繰り返し実施する。
【００４３】
一方、ステップＳ９において、制御装置７は、「Ｙ」と判定した場合、すなわち、光源ランプ４１１近傍の温度が依然として選択電力モードに対応した第２設定温度以上であると判定した場合には、報知制御手段７４３は、選択電力モード時での報知駆動制御を実行する（ステップＳ１０）。例えば、従前電力モード時での報知駆動制御において報知部７４３Ａを消灯させている状態であればステップＳ９において報知部７４３Ａを点灯させる報知駆動制御を実行し、逆に、従前電力モード時での報知駆動制御において報知部７４３Ａを点灯させている状態であればステップＳ９において報知部７４３Ａを点灯させる報知駆動制御を継続する。
【００４４】
ステップＳ１０の後、制御装置７は、検出温度と、第１設定温度情報記憶手段７７１に記憶された第１設定温度情報のうち選択電力モードに対応した第１設定温度情報に基づく第１設定温度とを比較して、検出温度が前記第１設定温度よりも高いか否か（検出温度が第１設定温度以上であるか否か）を判定する（ステップＳ１１）。
【００４５】
ステップＳ１１において、制御装置７は、「Ｙ」と判定した場合、すなわち、光源ランプ４１１近傍の温度が選択電力モードに対応した第１設定温度以上であると判定した場合には、電力遮断手段７４２は、電力遮断制御を実施し、光源ランプ４１１を消灯させる（ステップＳ１２）。
すなわち、本発明に係る電力遮断ステップは、上述したステップＳ７，Ｓ１１，Ｓ１２に相当する。
ステップＳ１２の後、電力遮断手段７４２は、所定の制御指令をファン駆動制御部７６に出力し、冷却ファン５１により光源ランプ４１１の強制冷却を所定時間（例えば、５分間程度）、実施させる（ステップＳ１３）。
【００４６】
一方、ステップＳ１１において、制御装置７は、「Ｎ」と判定した場合、すなわち、光源ランプ４１１近傍の温度が選択電力モードに対応した第１設定温度未満であると判定した場合には、再度、上述したステップＳ３〜Ｓ１１を繰り返し実施する。
そして、図示は省略するが、例えば、ステップＳ１１において、「Ｎ」と判定され、ステップＳ３〜Ｓ１１が繰り返し実施されている際に、ステップＳ６において、「Ｎ」と判定された場合、すなわち、光源ランプ４１１近傍の温度が低下して、光源ランプ４１１近傍の温度が選択電力モードに対応した第２設定温度未満であると判定された場合には、報知制御手段７４３は、報知部７４３Ａを消灯させる報知駆動制御を実施する。また、この場合には、ステップＳ８は省略される。
【００４７】
上述した本実施形態によれば、以下の効果がある。
なお、以下では、効果を明確に説明するために、下記の具体的事例に基づいて説明する。
通常電力モードに対応する第１設定温度、第２設定温度、および初期移行温度をそれぞれ、５５℃、５０℃、および４０℃とする。
また、低電力モードに対応する第１設定温度、第２設定温度、および初期移行温度をそれぞれ、５２℃、４７℃、および３７℃とする。
【００４８】
例えば、通常電力モードに対応した第１設定温度（通常電力第１設定温度）と低電力モードに対応した第１設定温度（低電力第１設定温度）とを同一の温度（例えば、５５℃）に設定した場合には、低電力第１設定温度が高い温度となり、低電力モードで光源ランプ４１１を駆動している際に、冷却空気を導入する導入口に取り付けられたエアフィルタに目詰まり等の不具合が生じた場合であっても、光源ランプ４１１近傍の温度が低電力第１設定温度以上まで上昇せずに、電力遮断制御が実施されない恐れがある。
また、例えば、通常電力第１設定温度と低電力第１設定温度とを同一の温度（例えば、５２℃）に設定した場合には、通常電力第１設定温度が低い温度となり、通常電力モード時において、光源ランプ４１１近傍の温度が通常電力第１設定温度以上になりやすく、すなわち、電力遮断制御が不要に実施される不具合が生じてしまう。
本実施形態では、電力遮断制御を実施する際に用いる第１設定温度を各電力モードに応じて異なる温度に設定できる。例えば、上記具体的事例に示すように、通常電力第１設定温度よりも低電力第１設定温度が低くなるように設定できる。このため、低電力モードで光源ランプ４１１を駆動している際に、冷却空気を導入する導入口に取り付けられたエアフィルタに目詰まり等の不具合が生じた場合でも光源ランプ４１１近傍の温度が低電力第１設定温度（５２℃）を超えるように設定でき、確実に電力遮断制御を実施できる。また、通常電力モード時において、光源ランプ４１１近傍の温度が不要に通常電力第１設定温度以上となることがなく、適切に電力遮断制御を実施できる。
【００４９】
また、例えば、検出温度が選択電力モードに対応した第１設定温度以上になると直ぐに電力遮断制御を実施する構成を採用した場合には、光源ランプ４１１近傍の温度が通常電力第１設定温度よりも低くかつ、低電力第１設定温度よりも高くなっている状態（光源ランプ４１１近傍の温度が５２℃以上、５５℃未満である状態）で、通常電力モードから低電力モードに切り替えた場合には、光源ランプ４１１近傍の温度が低電力第１設定温度以上であるため、電力モードを切り替えた直後に、電力遮断制御（光源ランプ４１１の消灯）が実施されてしまう。
本実施形態では、電力遮断手段７４２は、モード切替手段７４１にて電力モードが切り替えられてから設定時間が経過した後に、検出温度が選択電力モードに対応した第１設定温度以上の場合に、電力遮断制御を実施するので、前記設定時間の間に、光源ランプ４１１近傍の温度を低減させることができる。例えば、光源ランプ４１１近傍の温度が通常電力第１設定温度よりも低くかつ、低電力第１設定温度よりも高くなっている状態（光源ランプ４１１近傍の温度が５２℃以上、５５℃未満である状態）で、通常電力モードから低電力モードに切り替えた場合でも、前記設定時間の間に、光源ランプ４１１近傍の温度を低電力第１設定温度よりも低くする（４７℃未満にする）ことができ、電力モードを切り替えた直後に、電力遮断制御が実施される不具合が生じることもない。
したがって、電力モードを切り替えることで省電力化を図れかつ、電力遮断制御を適切に実施できる。
【００５０】
ここで、制御装置７が第２設定温度情報記憶手段７７２と、報知制御手段７４３とを備えているので、報知部７４３Ａにて「光源ランプ近傍の温度が第１設定温度に近い」旨、すなわち、電力遮断制御が実行される旨等を利用者に予め認識させることができる。
【００５１】
例えば、検出温度が選択電力モードに対応した第２設定温度以上になると直ぐに選択電力モード時での報知駆動制御を実施する構成を採用した場合には、光源ランプ４１１近傍の温度が通常電力モードに対応した第２設定温度（通常電力第２設定温度）よりも低くかつ、低電力モードに対応した第２設定温度（低電力第２設定温度）よりも高くなっている状態（光源ランプ４１１近傍の温度が４７℃以上、５０℃未満である状態）で、通常電力モードから低電力モードに切り替えた場合には、光源ランプ４１１近傍の温度が低電力第２設定温度以上であるため、電力モードを切り替えた直後に、報知部７４３Ａを点灯させる報知駆動制御が実施される。同様に、低電力モードから通常電力モードに切り替えた場合には、光源ランプ４１１近傍の温度が通常電力第２設定温度未満であるため、電力モードを切り替えた直後に、報知部７４３Ａを消灯させる報知駆動制御が実施される。
本実施形態では、報知制御手段７４３は、モード切替手段７４１にて電力モードが切り替えられてから設定時間の間は、従前電力モード時における報知部７４３Ａの駆動制御状態を継続するので、電力モードが切り替えられた直後に、報知部７４３Ａの駆動状態が変更されることがない。このため、電力遮断手段７４２による電力遮断制御と略同様に、報知部７４３Ａの駆動制御を実施でき、利用者に報知部７４３Ａの駆動状態を適切に認識させることができる。
【００５２】
ところで、通常電力モードと、低電力モードとを比較した場合には、通常電力モード時の方が低電力モード時に比べて光源ランプ４１１近傍の温度上昇率は大きくなる。このため、上述したフィードバック制御時において、光源ランプ４１１近傍の温度が同一の場合であっても、通常電力モード時での冷却ファン５１を駆動する駆動電圧の方が低電力モード時での冷却ファン５１を駆動する駆動電圧よりも大きくする必要がある。すなわち、上述したフィードバック制御時において、光源ランプ４１１近傍の温度が同一の場合であっても、通常電力モード時での冷却ファン５１の回転数の方が低電力モード時での冷却ファン５１の回転数よりも大きくする必要がある。
【００５３】
そして、例えば、光源ランプ４１１近傍の温度が常温程度の比較的に低い温度である場合でも上述したフィードバック制御を実施する構成とした場合には、以下に示すように、冷却ファン５１自体の音を余計に大きくしてしまう。
例えば、光源ランプ４１１近傍の温度が低電力モードに対応した初期移行温度（低電力初期移行温度）よりも低い（３７℃未満）場合に、通常電力モードから低電力モードに切り替えた場合には、切り替えられた低電力モード時では比較的に小さい回転数で冷却ファン５１を駆動すればよいはずであるが、切り替えられる前の通常電力モード時では比較的に大きい回転数で冷却ファン５１を駆動させているため、低電力モードに切り替えられた時点でも比較的に大きい回転数で冷却ファン５１を駆動させてしまう。このため、電力モード時の切替時において、比較的に大きい回転数で冷却ファン５１を駆動させることで、冷却ファン５１自体からの音を余計に大きくしてしまう。
また、例えば、光源ランプ４１１近傍の温度が通常電力モードに対応した初期移行温度（通常電力初期移行温度）よりも低い（４０℃未満）場合に、低電力モードから通常電力モードに切り替えた場合には、切り替えられた通常電力モード時では比較的に大きい回転数で冷却ファン５１を駆動する必要があるが、切り替えられる前の低電力モード時では比較的に小さい回転数で冷却ファン５１を駆動させているため、通常電力モードに切り替えられた時点でも比較的に小さい回転数で冷却ファン５１を駆動させてしまう。このため、通常電力モードに切り替えられた後、フィードバック制御を実施する際、冷却ファン５１の回転数の増加率が大きくなり、冷却ファン５１自体からの音を余計に大きくしてしまう。
【００５４】
本実施形態では、ファン駆動制御部７６は、モード切替手段７４１にて電力モードが切り替えられた際に検出温度が選択電力モードに対応した初期移行温度未満である場合には、選択電力モードに対応した初期電圧値情報に基づく初期電圧値で冷却ファン５１を駆動させる。このことにより、光源ランプ４１１近傍の温度が低電力初期移行温度（３７℃）未満の状態で通常電力モードから低電力モードに切り替えた場合であっても、冷却ファン５１を駆動する駆動電圧が低電力モードに対応した初期電圧値に変更されるので、電力モードの切替時において、冷却ファン５１自体からの音を余計に大きくすることがなく、プロジェクタ１の静粛性を確保できる。また、光源ランプ４１１近傍の温度が通常電力初期移行温度未満（４０℃未満）の状態で低電力モードから通常電力モードに切り替えた場合も同様に、冷却ファンを駆動する駆動電圧が通常電力モードに対応した初期電圧値に変更されるので、通常電力モードに切り替えられた後、光源ランプ４１１近傍の温度が通常電力初期移行温度以上（４０℃以上）となりフィードバック制御を実施する際、冷却ファン５１の回転数の増加率が大きくなることがなく、すなわち、冷却ファン５１自体からの音を余計に大きくすることがなく、プロジェクタ１の静粛性を確保できる。また、迅速に所定の回転数となるように冷却ファン５１を駆動できるので、光源ランプ４１１近傍の温度の上昇を効果的に低減できる。
【００５５】
なお、本発明は前述の実施形態に限定されるものではなく、本発明の目的を達成できる範囲での変形、改良等は本発明に含まれるものである。
前記実施形態において、電力モード情報の設定入力としては、電力モードをモード切替入力部２１に直接入力する構成、各電力モードを１つの入力ボタンで切り替える構成、あるいは、記憶部７７に予め複数の電力モード情報を記憶しておきモード切替入力部２１にて前記複数の電力モード情報のうちいずれかを選択する構成等を採用してもよい。
前記実施形態では、電力モードが通常電力モードおよび低電力モードの２つのみ設定されていたが、これに限らず、３つ以上の電力モードを設定した構成を採用してもよい。
【００５６】
前記実施形態では、ファン駆動制御部７６は、光源ランプ４１１近傍の温度が初期移行温度以上となった場合に、フィードバック制御を実施していたが、フィードバック制御に限らず、その他の駆動制御、例えば以下に示す温度対応制御を実施しても構わない。
例えば、記憶部７７に、温度に関する温度情報、および前記温度に応じた回転数で冷却ファン５１を駆動させるための電圧値に関する電圧値情報が関連付けられた電圧温度関連情報を、各電力モードにそれぞれ対応させたテーブル構造を有する情報を記憶しておく。
そして、ファン駆動制御部７６は、サーミスタ６にて検出された光源ランプ４１１近傍の検出温度を順次認識し、認識した検出温度、および選択電力モードに対応した前記電圧温度関連情報に基づいて、前記検出温度に応じた電圧値で冷却ファン５１を駆動させる温度対応制御を実施する。
【００５７】
前記実施形態において、プロジェクタ１の制御方法は、図２に示すフローに限らない。
図３は、前記実施形態の変形例を示すフローチャートである。
例えば、前記実施形態では、検出温度が初期移行温度よりも高いか否かの判定（ステップＳ３）を、検出温度が選択電力モードに対応した第２設定温度よりも高いか否かの判定（ステップＳ６）の前段に実施していたが、逆に、図３に示すように、ステップＳ６をステップＳ３の前段に実施する構成としてもよい。
【００５８】
前記実施形態では、電源遮断制御で用いられる設定時間情報に基づく設定時間と、報知駆動制御で用いられる設定時間情報に基づく設定時間とが同一の時間に設定されていたが、これに限らず、異なる時間に設定してもよい。また、各電力モードに応じて前記設定時間を異なる時間に設定しても構わない。
前記実施形態では、第１設定温度、第２設定温度、初期移行温度、および目標温度において、通常電力モードに対応する各温度が、低電力モードに対応する各温度より高く設定されていたが、これに限らず、同一でも、逆に、低電力モードに対応する各温度の方が高く設定されていても構わない。
前記実施形態では、初期移行温度と目標温度とを別々に設定していたが、これに限らず、同一の温度にしてもよい。
前記実施形態では、制御装置７が検出温度と選択電力モードに対応した第１設定温度、第２設定温度、初期移行温度とを比較し、制御動作を実施していたが、これに限らず、従前電力モードに対応した温度と比較して制御動作を実施しても構わない。
前記実施形態では、光源ランプ４１１近傍に配設されたサーミスタ６が検出した検出温度に応じた信号を制御装置７に出力していたが、これに限らず、液晶ライトバルブ４２近傍等のプロジェクタ１内部に配設されたサーミスタが検出した検出温度を用いても構わない。また、前記実施形態では、冷却ファン５１が光源ランプ４１１を冷却する構成を説明したが、これに限らず、液晶ライトバルブ４２等のプロジェクタ１内部の他の構成部材を冷却する構成を採用してもよい。
【００５９】
前記実施形態では、透過型の液晶パネル（液晶ライトバルブ４２）を採用していたが、これに限らず、反射型の液晶パネルを採用してもよく、あるいは、ディジタル・マイクロミラー・デバイス（テキサス・インスツルメント社の商標）を採用してもよい。
前記実施形態では、液晶ライトバルブ４２を３枚設けた構成としていたが、これに限らず、１枚のみの液晶ライトバルブ４２を設ける構成、２枚の液晶ライトバルブ４２を設ける構成、４枚以上の液晶ライトバルブ４２を設ける構成としてもよい。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【００６０】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００６１】
本発明のプロジェクタは、省電力化を図れかつ、電力遮断制御を適切に実施できるため、プレゼンテーションやホームシアタ等に用いられるプロジェクタとして利用できる。
【図面の簡単な説明】
【００６２】
【図１】本実施形態におけるプロジェクタの概略構成を示すブロック図。
【図２】前記実施形態におけるプロジェクタの制御方法を説明するフローチャート。
【図３】前記実施形態の変形例を示すフローチャート。
【符号の説明】
【００６３】
１・・・プロジェクタ、２・・・操作部（設定入力部）、３・・・電源装置、６・・・サーミスタ（温度検出部）、７・・・制御装置、４２・・・液晶ライトバルブ（光変調素子）、４３・・・投射光学装置、５１・・・冷却ファン、７５・・・タイマ（計測手段）、７６・・・ファン駆動制御部（ファン制御手段）、４１１・・・光源ランプ（光源部）、７４１・・・モード切替手段、７４２・・・電力遮断手段、７４３・・・報知制御手段、７４３Ａ・・・報知部、７７１・・・第１設定温度情報記憶手段、７７２・・・第２設定温度情報記憶手段、７７３・・・初期移行温度情報記憶手段、７７５・・・初期電圧値情報記憶手段、Ｓ１・・・モード切替ステップ、Ｓ２・・・計測ステップ、Ｓ７，Ｓ１０，Ｓ１１・・・電力遮断ステップ。
【図１】
2007101996.tif 000003
【図２】
2007101996.tif 000004
【図３】
2007101996.tif 000005